(57)【要約】【課題】  文書データを編集する文書データ編集装置において、被記録媒体に画像として形成すべきデータと、非接触型タグにデータとして記録すべきデータと、上記被記録媒体に画像として形成し、かつ、上記非接触型タグにもデータとして記録すべきデータとの少なくともいずれか２つを、効率的に作成または設定可能にすること。【解決手段】  ホテルのキーの印刷すべき文面が印刷モードで入力された後（Ａ）、部屋番号の「７０８」が範囲指定され（Ｂ）、その範囲に対してタグ書き込み及び印刷別データモードが設定されて、部屋のロックを解除するためのコードの「３７６５３８」が入力されると、ディスプレイの表示は（Ｃ）のように変化する。すなわち、部屋番号とコードとがブリンキングにより交互に表示される。このように、印刷用文書とタグ書き込み用文書とが同時に作成できる。【選択図】  図９
2008090340.tif 000002
【特許請求の範囲】
【請求項１】
被記録媒体に画像として形成すべき文書データを入力するための第１の入力手段と、
非接触型タグにデータとして記録すべき文書データを入力するための第２の入力手段と、
上記被記録媒体に画像として形成し、かつ、上記非接触型タグにもデータとして記録すべき文書データを入力するための第３の入力手段と、
のうち、少なくともいずれか２つを備えたことを特徴とする文書データ編集装置。
【請求項２】
上記第１の入力手段によって入力された文書データと、上記第２の入力手段によって入力された他の文書データとが、関連付け可能であることを特徴とする請求項１記載の文書データ編集装置。
【請求項３】
上記各入力手段によって入力された文書データを区別可能に表示する表示手段を、更に備えたことを特徴とする請求項１または２記載の文書データ編集装置。
【請求項４】
文書データの中から、被記録媒体に画像として形成すべき範囲を設定するための第１の設定手段と、
上記文書データの中から、非接触型タグにデータとして記録すべき範囲を設定するための第２の設定手段と、
上記文書データの中から、被記録媒体に画像として形成し、かつ、非接触型タグにもデータとして記録すべき範囲を設定するための第３の設定手段と、
のうち、少なくともいずれか２つを備えたことを特徴とする文書データ編集装置。
【請求項５】
上記第１の設定手段または上記第２の設定手段に設定された範囲に、非接触型タグに記録すべき他の文書データまたは被記録媒体に画像として形成すべき他の文書データが関連付け可能であることを特徴とする請求項４記載の文書データ編集装置。
【請求項６】
上記各設定手段によって設定された範囲が区別可能となるように上記文書データを表示する表示手段を、更に備えたことを特徴とする請求項４または５記載の文書データ編集装置。
【請求項７】
上記第３の設定手段が、上記文書データの中から文字修飾を行うべき範囲を設定するための修飾範囲設定手段を兼ねることを特徴とする請求項４〜６のいずれかに記載の文書データ編集装置。
【請求項８】
請求項７に記載の文書データ編集装置において、上記第３の設定手段が、上記修飾範囲設定手段を兼ねるかどうかを選択できることを特徴とする文書データ編集装置。
【請求項９】
請求項８に記載の文書データ編集装置において、上記修飾範囲設定手段に設定された範囲の文書をどのように修飾するかを設定するための複数の修飾設定手段を備え、それらの各修飾設定手段のそれぞれが上記第３の設定手段として兼ねるかどうかを各別に設定できることを特徴とする文書データ編集装置。
【請求項１０】
請求項１〜９のいずれかに記載の文書データ編集装置と、
被記録媒体に画像として形成すべき上記文書データに基き、被記録媒体に画像を形成する画像形成手段、及び、上記被記録媒体に非接触型タグが添付されている場合に、非接触型タグにデータとして記録すべき上記文書データをその非接触型タグに記録するデータ記録手段を備えた画像形成装置と、
を備えたことを特徴とする文書作成システム。
【請求項１１】
コンピュータを、請求項１〜９のいずれかに記載の各手段として動作させることを特徴とするプログラム。
【発明の詳細な説明】
【技術分野】
【０００１】
本発明は、文書データを編集する文書データ編集装置に関し、詳しくは、被記録媒体に画像として形成すべき文書データと、非接触型タグにデータとして記録すべき文書データとを、作成または設定可能な文書データ編集装置、並びに、その文書データ編集装置を利用した文書作成システム、及び、その文書データ編集装置を構成するためのプログラムに関する。
【背景技術】
【０００２】
近年、ＲＦＩＤタグ（Radio Frequency Identification tag）等の非接触型タグを用紙等の被記録媒体に添付（埋め込まれたものも含む）することが提案されており、そのような被記録媒体に対して、画像を形成すると同時に非接触型タグにデータを記録することも提案されている。例えば、非接触型タグに記録すべきデータを受信した場合に、そのデータを用紙に画像として形成すると共に非接触型タグにもデータとして記録し、更に、予め用意されたデータに基づく画像も上記データに対応する画像と共に被記録媒体に形成することが提案されている（例えば、特許文献１参照）。
【特許文献１】特開２００５−２１２３０３号公報
【発明の開示】
【発明が解決しようとする課題】
【０００３】
ところが、従来は、被記録媒体に画像として形成すべきデータと、非接触型タグにデータとして記録すべきデータと、上記被記録媒体に画像として形成し、かつ、上記非接触型タグにもデータとして記録すべきデータとは、それぞれ別個に作成する必要があり、編集能率が悪かった。
【０００４】
そこで、本発明は、文書データを編集する文書データ編集装置において、被記録媒体に画像として形成すべきデータと、非接触型タグにデータとして記録すべきデータと、上記被記録媒体に画像として形成し、かつ、上記非接触型タグにもデータとして記録すべきデータとの少なくともいずれか２つを、効率的に作成または設定可能にすることを目的としてなされた。
【課題を解決するための手段】
【０００５】
上記目的を達するためになされた本発明の文書データ編集装置は、被記録媒体に画像として形成すべき文書データを入力するための第１の入力手段と、非接触型タグにデータとして記録すべき文書データを入力するための第２の入力手段と、上記被記録媒体に画像として形成し、かつ、上記非接触型タグにもデータとして記録すべき文書データを入力するための第３の入力手段と、のうち、少なくともいずれか２つを備えたことを特徴としている。
【０００６】
このように構成された本発明の文書データ編集装置では、被記録媒体に画像として形成すべき文書データを第１の入力手段を介して入力する作業、非接触型タグにデータとして記録すべき文書データを第２の入力手段を介して入力する作業、及び、上記被記録媒体に画像として形成し、かつ、上記非接触型タグにもデータとして記録すべき文書データを第３の入力手段を介して入力する作業の、少なくともいずれか２つを実行することができる。従って、本発明の文書データ編集装置を使用すれば、被記録媒体に画像として形成すべき文書データと、非接触型タグにデータとして記録すべき文書データと、上記被記録媒体に画像として形成し、かつ、上記非接触型タグにもデータとして記録すべき文書データとの少なくともいずれか２つを、効率的に作成することができる。
【０００７】
なお、本発明は以下の構成に限定されるものではないが、上記第１の入力手段によって入力された文書データと、上記第２の入力手段によって入力された他の文書データとが、関連付け可能であってもよい。この場合、被記録媒体に画像として形成すべき文書データと、非接触型タグにデータとして記録すべき文書データとが全く別個のものであっても、両者を関連付けることによって一層効率的にデータを編集することができる。
【０００８】
また、上記各入力手段によって入力された文書データを区別可能に表示する表示手段を、更に備えてもよい。この場合、表示手段の表示を見れば、どの文書データがどの入力手段によって入力されたものかが一目瞭然となり、一層効率的にデータを編集することができる。
【０００９】
また、本発明の文書データ編集装置は、文書データの中から、被記録媒体に画像として形成すべき範囲を設定するための第１の設定手段と、上記文書データの中から、非接触型タグにデータとして記録すべき範囲を設定するための第２の設定手段と、上記文書データの中から、被記録媒体に画像として形成し、かつ、非接触型タグにもデータとして記録すべき範囲を設定するための第３の設定手段と、のうち、少なくともいずれか２つを備えたことを特徴とするものであってもよい。
【００１０】
このように構成された本発明の文書データ編集装置では、文書データの中から、被記録媒体に画像として形成すべき範囲を第１の設定手段を介して設定する作業、上記文書データの中から、非接触型タグにデータとして記録すべき範囲を第２の設定手段を介して設定する作業、上記文書データの中から、被記録媒体に画像として形成し、かつ、非接触型タグにもデータとして記録すべき範囲を第３の設定手段を介して設定する作業の、少なくともいずれか２つを実行することができる。従って、本発明の文書データ編集装置を使用すれば、被記録媒体に画像として形成すべき文書データと、非接触型タグにデータとして記録すべき文書データと、上記被記録媒体に画像として形成し、かつ、上記非接触型タグにもデータとして記録すべき文書データとの少なくともいずれか２つを、効率的に設定することができる。
【００１１】
なお、本発明は以下の構成に限定されるものではないが、上記第１の設定手段または上記第２の設定手段に設定された範囲に、非接触型タグに記録すべき他の文書データまたは被記録媒体に画像として形成すべき他の文書データが関連付け可能であってもよい。この場合、被記録媒体に画像として形成すべき文書データと、非接触型タグにデータとして記録すべき文書データとが全く別個のものであっても、両者を関連付けることによって一層効率的にデータを編集することができる。
【００１２】
また、上記各設定手段によって設定された範囲が区別可能となるように上記文書データを表示する表示手段を、更に備えてもよい。この場合、表示手段の表示を見れば、文書データのどの範囲がどの設定手段によって設定されたものかが一目瞭然となり、一層効率的にデータを編集することができる。
【００１３】
更に、上記第３の設定手段は、上記文書データの中から文字修飾を行うべき範囲を設定するための修飾範囲設定手段を兼ねてもよい。この場合、被記録媒体に画像として形成し、かつ、非接触型タグにもデータとして記録すべき範囲の設定が、文字修飾の設定と同時に実行できるため、一層効率的にデータを編集することができる。
【００１４】
また、第３の設定手段が、上記修飾範囲設定手段を兼ねるかどうかを選択できるようにしてもよく、更に、上記修飾範囲設定手段に設定された範囲の文書をどのように修飾するかを設定するための複数の修飾設定手段を備え、それらの各修飾設定手段のそれぞれが上記第３の設定手段として兼ねるかどうかを各別に設定できるようにしてもよい。
【００１５】
この場合、文字修飾を行う範囲を設定する操作、更には、どのような文字修飾を行うかの設定操作に基づいて、非接触型タグに書き込むデータの編集作業をより一層効率的に行うことができる。
【００１６】
また、本発明の文書作成システムは、上記いずれかに記載の文書データ編集装置と、被記録媒体に画像として形成すべき上記文書データに基き、被記録媒体に画像を形成する画像形成手段、及び、上記被記録媒体に非接触型タグが添付されている場合に、非接触型タグにデータとして記録すべき上記文書データをその非接触型タグに記録するデータ記録手段を備えた画像形成装置と、を備えたことを特徴としている。
【００１７】
このように構成された本発明の文書作成システムでは、非接触型タグが添付された被記録媒体に対して、上記のように作成または設定された被記録媒体に画像として形成すべき文書データに基づいて、被記録媒体に画像を形成し、かつ、非接触型タグにデータとして記録すべき文書データを非接触型タグに記録することができる。
【００１８】
更に、本発明のプログラムは、コンピュータを、上記いずれかに記載の各手段として動作させることを特徴としている。このため、本発明のプログラムをコンピュータに実行させれば、上記いずれかの文書データ編集装置を容易に構成することができる。
【発明を実施するための最良の形態】
【００１９】
次に、本発明の実施の形態を、図面を参照して説明する。図１は、本発明が適用された文書作成システムの構成を表すブロック図である。図１に示すように、本実施の形態の文書作成システムは、画像形成装置としてのプリンタ１と、そのプリンタ１にケーブル７００を介して接続された文書データ編集装置としてのパーソナルコンピュータ（以下、単にパソコンという）８００とから構成されている。なお、プリンタ１とパソコン８００とは、ＬＡＮなどのネットワークを介して接続されていてもよい。
【００２０】
［プリンタ１の構成の説明］
図２はそのプリンタ１の内部構成を表す概略断面図である。図２に示すように、プリンタ１は、本体ケース２内に、被記録媒体としての用紙３を給紙するためのフィーダ部４、マルチパーパストレイ１４、給紙された用紙３に画像を形成するための画像形成手段の一例としてのプロセスユニット１８及び定着装置１９等を備えている。なお、以降、このプリンタ１において、マルチパーパストレイ１４が本体ケース２に取り付けられている側（図２で左側）を「前部」とし、同じくマルチパーパストレイ１４が本体ケース２に取り付けられている側とは反対側を「後部」とする。
【００２１】
［フィーダ部４の構成の説明］
図２に示すように、フィーダ部４は、本体ケース２内の底部に、着脱可能に装着される給紙トレイ６と、給紙トレイ６内に設けられた用紙押圧板８と、給紙トレイ６の一端側端部の上方に設けられる給紙ローラ１２及び分離パッド１３とを備えている。また、給紙ローラ１２から画像形成位置Ｐ（感光体ドラム２３と転写ローラ２５との接触部、つまり感光体ドラム２３上のトナー像が用紙３に転写される転写位置）までの間には、湾曲状に形成された搬送経路７が配されている。
【００２２】
用紙押圧板８は、用紙３を積層状に保持可能であり、給紙ローラ１２に対して遠い方の端部において揺動可能に支持されることによって、近い方の端部が上下方向に移動可能に構成されており、また、その裏側からバネ８ａによって上方向に付勢されている。分離パッド１３は、給紙ローラ１２に対向状に配設され、摩擦係数の大きい部材からなるパッド１３ａがバネ１３ｂによって給紙ローラ１２に向かって押圧されている。
【００２３】
一方、搬送経路７は、用紙３を案内する一対のガイド板７ａ，７ｂが配置されることにより湾曲状に形成されている。また、この搬送経路７には、用紙搬送の上流側から順に、給紙ローラ１２、駆動ローラと従動ローラの対からなる一対の搬送ローラ１１、駆動ローラと従動ローラの対からなる一対の搬送ローラ１０、及び、画像形成位置Ｐの直前に配置され、駆動ローラと従動ローラの対からなる一対のレジストローラ９が、適宜間隔にて配置されている。
【００２４】
以上のように構成されたフィーダ部４においては、用紙押圧板８上に積層された用紙３のうち最上位にある用紙３が、給紙ローラ１２に向かって押圧され、その給紙ローラ１２の回転によって給紙ローラ１２と分離パッド１３とで挟まれた後、１枚毎に給紙される。給紙された用紙３は、搬送ローラ１１にて搬送された後、搬送ローラ１０及びレジストローラ９に順次送られ、所定のタイミングで、画像形成位置Ｐに送られる。
【００２５】
［マルチパーパストレイ１４の構成の説明］
フィーダ部４より上方位置の本体ケース２の前部側には、用紙３を手差しまたは自動給紙にて供給するためのマルチパーパストレイ１４と、マルチパーパストレイ１４上に積層される用紙３を給紙するためのマルチパーパス側給紙機構１５とが設けられている。マルチパーパス側給紙機構１５は、マルチパーパス側給紙ローラ１５ａ及びマルチパーパス側給紙パッド１５ｂを備えており、マルチパーパス側給紙パッド１５ｂの裏側に配設されるバネ１５ｃによって、マルチパーパス側給紙パッド１５ｂがマルチパーパス側給紙ローラ１５ａに向かって押圧されている。また、マルチパーパス側給紙機構１５は、駆動ローラと従動ローラの対からなる一対の搬送ローラ１５ｄを備えている。
【００２６】
以上のように構成されたマルチパーパストレイ１４においては、マルチパーパストレイ１４上に積層される用紙３が、回転するマルチパーパス側給紙ローラ１５ａとマルチパーパス側給紙パッド１５ｂとで挟まれた後、１枚毎に給紙されて一対の搬送ローラ１５ｄを介して前記レジストローラ９に送られる。
【００２７】
更に、搬送ローラ１５ｄ，１０とレジストローラ９との間には、タグリーダ１６が設けられている。このタグリーダ１６は、用紙３として図３に例示するように非接触型タグの一例としてのＲＦＩＤタグ（radio frequency identification tag：以下、単にタグという）３Ａを備えたものが使用された場合、そのタグ３Ａに記録されたデータを読み取る。このため、タグ３Ａを備えた用紙３が給紙トレイ６またはマルチパーパストレイ１４から画像形成位置Ｐまで搬送される途中で、その用紙３に設けられたタグ３Ａからタグリーダ１６にてデータを読み取ることができる。なお、マルチパーパストレイ１４にセットされた用紙３に添付されているタグ３Ａからデータを読み取る（読み出す）場合、必ずしも用紙３を搬送しながらタグリーダ１６にて読み取る（読み出す）ようにする必要はなく、例えば、マルチパーパストレイ１４にセット（載置）した状態のままで用紙３に添付されているタグ３Ａからタグリーダ１６にてデータを読み取る（読み出す）ようにしてもよい。
【００２８】
［スキャナユニット１７の構成の説明］
スキャナユニット１７は、本体ケース２の上部のうち、排紙トレイ３６の下面側に配置され、レーザ発光部（図示せず）、回転駆動されるポリゴンミラー２０、レンズ２１ａ及び２１ｂ、反射鏡２２などを備えており、レーザ発光部から発光される画像データに応じたレーザビームを、ポリゴンミラー２０、レンズ２１ａ、反射鏡２２、レンズ２１ｂの順に通過或いは反射させて、プロセスユニット１８における感光体ドラム２３の表面上に高速走査にて照射している。
【００２９】
［プロセスユニット１８の構成の説明］
プロセスユニット１８は、静電潜像坦持体としての感光体ドラム２３、スコロトロン型帯電器３７、及び、転写ローラ２５等を有するドラムカートリッジと、そのドラムカートリッジに着脱自在な現像カートリッジ２４とから構成されている。現像カートリッジ２４は、トナー収容部２６、現像ローラ２７、層厚規制ブレード２８、トナー供給ローラ２９等を備えている。
【００３０】
トナー収容部２６には、現像剤として、正帯電性の非磁性１成分の重合トナーが充填されており、そのトナーがトナー供給ローラ２９によって現像ローラ２７に供給され、この時、トナー供給ローラ２９と現像ローラ２７との間で正極性に摩擦帯電され、更に、現像ローラ２７上に供給されたトナーは、現像ローラ２７の回転に伴って、層厚規制ブレード２８の摺擦により一定厚さの薄層として現像ローラ２７上に担持される。一方、回転する感光体ドラム２３は現像ローラ２７と対向して配置され、ドラム本体が接地されると共に、その表面が正帯電性の有機系感光体材料により形成されている。
【００３１】
スコロトロン型帯電器３７は、感光体ドラム２３の上方に、感光体ドラム２３に接触しないように、所定の間隔を隔てて配設されている。スコロトロン型帯電器３７は、タングステンなどの帯電用ワイヤからコロナ放電を発生させる正帯電用のスコロトロン型の帯電器であり、感光体ドラム２３の表面を一様に正極性に帯電させるように構成されている。
【００３２】
そして、感光体ドラム２３の表面は、その感光体ドラム２３の回転に伴って、先ず、スコロトロン型帯電器３７により一様に正帯電された後、スキャナユニット１７からのレーザビームの高速走査により露光され、画像データに基づく静電潜像が形成される。
【００３３】
次いで、現像ローラ２７の回転により、現像ローラ２７上に担持されかつ正帯電されているトナーが、感光体ドラム２３に対向して接触する時に、感光体ドラム２３の表面上に形成される静電潜像、すなわち、一様に正帯電されている感光体ドラム２３の表面のうち、レーザビームによって露光され電位が下がっている露光部分に供給され、選択的に担持されることによって可視像化され、これによってトナー像が形成される。
【００３４】
転写ローラ２５は、感光体ドラム２３の下方において、この感光体ドラム２３に対向するように配置され、上記ドラムカートリッジに図２において時計方向に回転可能に支持されている。この転写ローラ２５は、金属製のローラ軸に、イオン導電性のゴム材料からなるローラが被覆されており、転写時には、転写バイアス印加電源から転写バイアス（転写順バイアス）が印加されるように構成されている。そのため、感光体ドラム２３の表面上に担持されたトナー像は、用紙３が感光体ドラム２３と転写ローラ２５との間を通る間に、前述の画像形成位置Ｐにて用紙３に転写される。
【００３５】
［定着装置１９の構成の説明］
定着装置１９は、図２に示すように、プロセスユニット１８より側方の搬送方向下流側に配設され、１つの加熱ローラ３１と、この加熱ローラ３１を押圧するように配置された加圧ローラ３２と、これらの下流側に設けられる一対の搬送ローラ３３とを備えている。加熱ローラ３１は、アルミ等の金属製で加熱のためのハロゲンランプ等のヒータを備えており、プロセスユニット１８において用紙３上に転写されたトナーを、用紙３が加熱ローラ３１と加圧ローラ３２との間を通過する間に熱定着させる。その後、用紙３は搬送ローラ３３によって、本体ケース２内の後部側の排紙パスに搬送された後、更に、搬送ローラ３４及び排紙ローラ３５により搬送され、その後、排紙トレイ３６上に排紙される。
【００３６】
また、加熱ローラ３１及び加圧ローラ３２と一対の搬送ローラ３３との間の用紙搬送経路には、前述のタグ３Ａにデータを記録可能なデータ記録手段の一例としてのタグライタ３８が設けられている。このため、用紙３としてタグ３Ａが添付されたものを利用した場合、画像形成後の用紙３のタグ３Ａに所望のデータを記録（以下、書き込むともいう）することができる。
【００３７】
［プリンタ１の制御系の説明］
この他、プリンタ１の上面には、タグ読取ボタン２２０Ａをはじめとする各種ボタンや液晶ディスプレイ（図示省略）を備えた操作パネル２２０（図１参照）が設けられている。図１に戻って、この操作パネル２２０は、プロセスユニット１８，スキャナユニット１７，タグライタ３８，タグリーダ１６と共に、制御部２００に接続されている。この制御部２００は、ＣＰＵ２０１，ＲＯＭ２０２，ＲＡＭ２０３を備えたマイクロコンピュータとして構成され、更に、電源スイッチが切られても記憶内容が消えないようにされたＮＶＲＡＭ２０４を備えている。また、この制御部２００は、プリンタポートインタフェース（プリンタポートＩ／Ｆ）２３０及びケーブル７００を介してパソコン８００に接続されている。
【００３８】
パソコン８００のパソコン本体８１０は、主な構成としてＣＰＵ８１１，ＲＯＭ８１２，ＲＡＭ８１３，及びハードディスク装置（ＨＤＤ）８１４を備えている。また、ＲＡＭ８１３は、後述のタグ書き込みデータエリア８１３Ａと印刷データエリア８１３Ｂとを備えている。そして、このパソコン本体８１０には、ＣＲＴ等のディスプレイ８２０、キーボード８３０、マウス８４０、及び、プリンタ１の制御部２００と接続するためのプリンタポートインタフェース（プリンタポートＩ／Ｆ）８５０等が接続されている。
【００３９】
［上記制御系における処理（パソコン８００の処理）］
次に、この制御系における処理について説明する。図４は、パソコン８００にて実行される印刷制御処理を表すフローチャートである。なお、本処理は、パソコン８００において本処理の操作指令がなされたとき、ＣＰＵ８１１がＨＤＤ８１４に記憶された所定のプログラムを実行することによって開始される。
【００４０】
図４に示すように、処理が開始されると、先ず、Ｓ１（Ｓはステップを表す:以下同様）にて、文書編集のための初期画面がディスプレイ８２０に表示される。続くＳ２では、使用者によるキー入力があったか否かが判断され、キー入力がなされるまで処理はＳ２にて待機する（Ｓ２：Ｎ）。キー入力がなされると（Ｓ２：Ｙ）、処理はＳ３へ移行し、選択された機能が判断される。そして、選択された機能に応じて、文書入力編集（Ｓ４），タグ・印刷修飾処理（Ｓ５），修飾処理（Ｓ６），タグ・印刷入力設定（Ｓ７），印刷（Ｓ８），その他の処理（Ｓ９）のいずれかが実行されて、処理は前述のＳ２へ移行する。
【００４１】
ここで、Ｓ９のその他の処理としては、例えば既製の文書データの読込や貼り付けなど種々の処理がある。また、Ｓ７のタグ・印刷入力設定とは、これからなされる文書の入力モードが、用紙３への印刷のみのための文書入力（以下、印刷モードという）か、タグ３Ａへデータとして書き込むのみのための文書入力（以下、タグ書き込みモードという）か、それらの両方のための文書入力（以下、タグ書き込み・印刷モードという）か、或いは、用紙３へ印刷するデータとタグ３Ａへ書き込むデータとが関連付けられつつ別個に入力される文書入力（以下、タグ書き込み及び印刷別データモードという）かを設定する処理である。なお、Ｓ７のタグ・印刷入力設定では、印刷モードがデフォルトとして設定されている。他の処理については、以下に詳細に説明する。
【００４２】
図５は、Ｓ４の文書入力編集の処理を詳細に表すフローチャートである。図５に示すように、この処理では、先ず、Ｓ４１にて、キーボード８３０等からの入力に応じて文書の一般的な編集処理が実行される。続くＳ４２では、Ｓ７で設定若しくはデフォルトで設定されているタグ・印刷の情報、すなわち上記入力モードを表す情報がＳ４１にて入力された文書データに付加される。続くＳ４３では、上記入力モードに基づいて、上記入力された文書データがディスプレイ８２０に表示されて、処理は前述のＳ２へ移行する。なお、Ｓ４３における表示形態はオプションで種々に設定可能であるが、例えば、印刷モードの場合は通常の表示で、他の入力モードの場合は、反転，ブリンキング，文字色の変更，ハッチングなど、特殊な表示がなされる。特に、タグ書き込み及び印刷別データモードでは、タグ３Ａに書き込むべき文書と印刷すべき文書とが、ブリンキングにより交互に表示される。なお、オプションにより、印刷モードで入力された文字に特殊な表示を行ってもよいことはいうまでもない。
【００４３】
例えば、印刷モードで図６（Ａ）に例示するように抽選券の文面が作成され（Ｓ４１）、続いて、タグ書き込み・印刷モードに切り換えて抽選番号が上書きで入力されると（Ｓ４１）、図６（Ｂ）に例示するようにその抽選番号だけが反転して表示される（Ｓ４３）。この場合、図６（Ｃ）に例示するようなイメージが印刷用のデータとして作成され、抽選番号の「１０７６７４８」は印刷もされタグ３Ａにも書き込まれることになる（Ｓ４２）。すると、タグ３Ａからデータを読み込み、かつ当選番号と比較することにより抽選結果を容易かつ迅速に発表することが可能になる。
【００４４】
また、印刷モードで図７（Ａ）に例示するようにホテルの入室キーの文面が作成され（Ｓ４１）、続いて、タグ書き込み及び印刷別データモードに切り換えて部屋番号とその部屋のロックを解除するためのコードとが入力されると（Ｓ４１）、図７（Ｂ）に例示するようにその部屋番号とコードとがブリンキングにより交互に表示される（Ｓ４３）。この場合、図７（Ｃ）に例示するようなイメージが印刷用のデータとして作成され（Ｓ４２）、部屋番号の「７０８」は印刷されるが、コードの「３７６５３８」は印刷されず、タグ３Ａにはこの「３７６５３８」のみが書き込まれることになる（Ｓ４２）。このため、客はコードの「３７６５３８」を知ることができず、入室キーの偽造が防止できる。
【００４５】
次に、図８は、Ｓ５のタグ・印刷修飾処理を詳細に表すフローチャートである。この処理では、先ず、Ｓ５１にて、キーボード８３０またはマウス８４０の操作に応じて、既にディスプレイ８２０に表示された文書に対する範囲指定がなされる。なお、この範囲指定は、文字単位でなされてもよく、文字列単位でなされてもよく、行単位でなされてもよく、種々の形態が選択可能である。
【００４６】
続くＳ５２では、キーボード８３０またはマウス８４０からの入力に応じて、Ｓ５１で指定された範囲に対するタグ・印刷修飾、すなわち上記入力モードが設定される。続くＳ５３，Ｓ５４では、Ｓ４２，Ｓ４３と同様に、その修飾設定すなわち入力モードを表す情報が文書データに付加され（Ｓ５３）、その入力モードに基づいてディスプレイ８２０における表示が変更されて（Ｓ５４）、処理は前述のＳ２へ移行する。
【００４７】
このため、例えば図９（Ａ）に例示するように、前述のホテルのキーの印刷すべき文面全体が印刷モードで入力された後（Ｓ５）、図９（Ｂ）に例示するように部屋番号の「７０８」が範囲指定され（Ｓ５１）、タグ書き込み及び印刷別データモードが設定されて（Ｓ５３）、コードの「３７６５３８」が入力されると、ディスプレイ８２０の表示は図９（Ｃ）のように変化する（Ｓ５４）。すなわち、前述の図７（Ｂ）と同様に、部屋番号とコードとがブリンキングにより交互に表示される。
【００４８】
なお、上記各具体例（図６，図７，図９）では、主な入力が印刷モードでなされる場合を例にとって説明したが、主な入力がタグ書き込みモード等といった他の入力モードである場合は、上記入力モードの切り換え（Ｓ７）や範囲指定（Ｓ５１）によって印刷モード等が実行可能となることはいうまでもない。例えば、用紙３としての名刺に添付されたタグ３Ａに経歴等の詳細な情報を書き込む場合は、タグ書き込みモードを中心に入力を行った方が効率的な場合がある。
【００４９】
次に、図１０は、Ｓ６の修飾処理を詳細に表すフローチャートである。この処理では、先ず、Ｓ６１にて、前述のＳ５１と同様に文書範囲が指定され、続くＳ６２では、その範囲内の文字に対して、太字，斜体，下線等の文字修飾が、キーボード８３０またはマウス８４０の操作に応じて設定される。続くＳ６３では、Ｓ６２にて修飾された文字に対して、タグ書き込み修飾、すなわち、タグ書き込み・印刷モードを表す情報が付加される。続くＳ６４では、ディスプレイ８２０に表示された上記範囲内の文字に対して、上記文字修飾の結果表示と、タグ書き込み修飾（すなわちタグ書き込み・印刷モード）を表す前述の反転等の表示とがなされて、処理は前述のＳ２へ移行する。
【００５０】
このため、例えば図１１（Ａ）に例示するように、前述の抽選券における抽選番号に斜体太字の文字修飾がなされると（Ｓ６２）、その抽選番号がタグ３Ａに書き込むべきデータにも設定される（Ｓ６３）。このため、その抽選番号には、図１１（Ｂ）に例示するように、上記文字修飾の表示に加えて、タグ３Ａに書き込まれることを表す反転，ブリンキング等の表示がなされる。一般に、文字修飾が行われる場合は、その文字が表す情報が重要であるがゆえにその文字を強調したい場合が多く、タグ３Ａにその文字のデータが書き込まれる場合も多い。このため、上記のような処理では印刷面における強調とタグ３Ａへの書き込みとを同時に指示することができる。なお、図１０のＳ６２に概念的に示すように、太字，斜体，下線，文字色，…といった数ある文字修飾のうち、どの文字修飾に対してこのようなタグ書き込み修飾を設定するかは、予めＯＮ／ＯＦＦで設定することができる。
【００５１】
次に、図１２は、Ｓ８の印刷の処理を詳細に表すフローチャートである。この処理では、先ず、Ｓ８１にて、上記各処理で入力された印刷すべきデータが抽出され、ラスタライズされて印刷データとして印刷データエリア８１３Ｂに書き込まれる。続くＳ８２では、上記各処理で入力されたタグ３Ａに書き込むべきデータが抽出され、タグ書き込みデータとしてタグ書き込みデータエリア８１３Ａに書き込まれる。続くＳ８３では、タグ書き込みデータエリア８１３Ａ，印刷データエリア８１３Ｂに書き込まれたデータがプリンタ１に送信され、処理は前述のＳ２へ移行する。
【００５２】
［上記制御系における処理（プリンタ１の処理）］
図１３は、Ｓ８３の処理に応じてプリンタ１の制御部２００が実行するプリンタ印刷処理を表すフローチャートである。この処理は、パソコン８００からデータが送信されると開始される。
【００５３】
図１３に示すように、処理が開始されると、先ず、Ｓ２０１にて、パソコン８００から送信されたデータを受信する処理が実行され、続くＳ２０２にて、その受信されたデータが印刷データであったか否かが判断される。そして、印刷データであった場合は（Ｓ２０２：Ｙ）、Ｓ２０３にてその印刷データがＲＡＭ２０３に設定された印刷バッファへ書き込まれた後、印刷データでなかった場合はそのまま（Ｓ２０２：Ｎ）、処理はＳ２０４へ移行する。
【００５４】
Ｓ２０４では、上記受信されたデータがタグ書き込みデータであったか否かが判断される。そして、タグ書き込みデータであった場合は（Ｓ２０４：Ｙ）、Ｓ２０５にてそのタグ書き込みデータがＲＡＭ２０３に設定されたタグ書き込みバッファへ書き込まれた後、タグ書き込みデータでなかった場合はそのまま（Ｓ２０４：Ｎ）、処理はＳ２０６へ移行する。Ｓ２０６では、パソコン８００からのデータ受信が終了したか否かが判断され、まだ終了していない場合は（Ｓ２０６：Ｎ）、処理はＳ２０１へ移行して、前述のＳ２０１〜Ｓ２０５の処理が繰り返される。
【００５５】
一方、パソコン８００からのデータ受信が終了すると（Ｓ２０６：Ｙ）、処理はＳ２０７へ移行し、印刷データがある場合には、その印刷データに基いてスキャナユニット１７，プロセスユニット１８等を駆動することによる用紙３への印刷が開始される。続くＳ２０８では、タグライタ３８によるタグ３Ａへのデータの書き込みが可能なタグ書き込み位置まで用紙３が搬送されたか否かが判断される。そして、タグ書き込み位置でない場合はそのまま（Ｓ２０８：Ｎ）、タグ書き込み位置である場合は（Ｓ２０８：Ｙ）、Ｓ２０９にて、タグ書き込みデータがある場合にのみそのタグ書き込みデータがタグ３Ａに書き込まれた後、処理はＳ２１０へ移行する。
【００５６】
Ｓ２１０では、用紙３への印刷とタグ３Ａへの書き込みとが必要に応じて完了したか否かが判断され、まだ完了していない場合は（Ｓ２１０：Ｎ）、処理はＳ２０７へ移行して、前述のＳ２０７〜Ｓ２０９の処理が繰り返される。そして、用紙３への印刷とタグ３Ａへの書き込みとが必要に応じて完了すると（Ｓ２１０：Ｙ）、処理は一旦終了する。以上の処理により、前述のような印刷すべきデータに応じた画像が用紙３Ａに印刷され、タグ３Ａに書き込むべきデータがタグ３Ａに書き込まれる。
【００５７】
また、制御部２００は、パソコン８００からタグ３Ａのデータを読み出すべき旨の指令を受信したとき、または、操作パネル２２０のタグ読取ボタン２２０Ａが押下されたときには、次のようなタグデータ読み出し処理を実行する。
【００５８】
図１４は、そのタグデータ読み出し処理を表すフローチャートである。図１４に示すように、処理が開始されると、先ず、Ｓ２５０にて、マルチパーパストレイ１４に用紙３がセットされているか否かが判断される。用紙３がセットされていない場合は（Ｓ２５０：Ｎ）、処理はＳ２５０にてそのまま待機し、用紙３がセットされている場合は（Ｓ２５０：Ｙ）、Ｓ２５１にてその用紙３の搬送が開始される。
【００５９】
続くＳ２５２では、タグリーダ１６がタグ３Ａと交信可能であるか否かが判断される。そして、交信不能の場合はそのまま（Ｓ２５２：Ｎ）、交信可能の場合は（Ｓ２５２：Ｙ）、Ｓ２５３にて、タグリーダ１６を介してタグ３Ａよりデータが読み出されてＲＡＭ２０３内のタグバッファに書き込まれた後、処理はＳ２５４へ移行する。Ｓ２５４では、用紙３の末尾まで搬送されてその用紙３が排紙トレイ３６上に排紙されたか否かが判断される。そして、用紙末尾まで搬送されていない場合は（Ｓ２５４：Ｎ）、処理は前述のＳ２５１へ移行してＳ２５１〜Ｓ２５３の処理が繰り返され、用紙末尾まで搬送された場合は（Ｓ２５４：Ｙ）、処理は続くＳ２５５へ移行する。
【００６０】
Ｓ２５５では、Ｓ２５３にてタグ３Ａより読み出されたデータがホスト（この場合、パソコン８００）に送信されて処理が終了する。このようにしてタグ３Ａのデータがパソコン８００に送られることにより、例えば、前述の抽選番号に対する抽選結果のチェック等を容易かつ迅速に行うことができる。
【００６１】
なお、マルチパーパストレイ１４にセットされた用紙３に添付されているタグ３Ａからデータを読み出す場合、必ずしも、用紙３を搬送しながら読み出すようにする必要はなく、例えばマルチパーパストレイ１４に用紙３をセット（載置）した状態のままで、用紙３に添付されているタグ３Ａからタグリーダ１６にてデータを読み出すようにしてもよい。
【００６２】
図１８は、このような読み出しを可能とした場合のタグデータ読み出し処理を示すものであり、図１４に示すＳ２５１，Ｓ２５２，Ｓ２５４の処理が省略されている。
［本実施の形態の効果］
このように、本実施の形態では、用紙３への印刷のみを行うべき文書データ，タグ３Ａへの書き込みのみをするべき文書データ，その両方を行うべき文書データ，並びに、用紙３へ印刷すべきデータとタグ３Ａへ書き込むべきデータとが関連付けられつつ別個に入力されたデータを、自在に切換ながら効率的に作成または設定することができる。しかも、ディスプレイ８２０には、それらのデータが区別可能に表示されるので、上記データの編集を一層効率的に行うことができる。しかも、本実施の形態では、用紙３への印刷とタグ３Ａへの書き込みとの両方を行うべきデータを、文字修飾の設定と同時に設定することができるので、上記データの編集を一層効率的に行うことができる。
【００６３】
なお、上記実施の形態において、印刷モードまたはタグ書き込み及び印刷別データモードにおけるＳ４１の処理が第１の入力手段に、タグ書き込みモードまたはタグ書き込み及び印刷別データモードにおけるＳ４１の処理が第２の入力手段に、タグ書き込み・印刷モードにおけるＳ４１の処理が第３の入力手段に、Ｓ４３，Ｓ５４，Ｓ６４の処理が表示手段に、印刷モードまたはタグ書き込み及び印刷別データモードを設定する場合のＳ５１，Ｓ５２またはＳ６１，Ｓ６２の処理が第１の設定手段に、タグ書き込みモードまたはタグ書き込み及び印刷別データモードを設定する場合のＳ５１，Ｓ５２またはＳ６１，Ｓ６２の処理が第２の設定手段に、タグ書き込み・印刷モードを設定する場合のＳ５１，Ｓ５２またはＳ６１，Ｓ６２の処理が第３の設定手段に、Ｓ６１の処理が修飾範囲設定手段に、Ｓ６２の処理が修飾設定手段に、それぞれ相当する。
【００６４】
［上記実施の形態の変形例］
また、本発明は上記実施の形態に何ら限定されるものではなく、本発明の要旨を逸脱しない範囲で種々の形態で実施することができる。例えば、Ｓ８の印刷の処理では、その時点において上記各処理（Ｓ４〜Ｓ６）で作成されているデータをそのままプリンタ１へ送信してもよい。
【００６５】
この場合、上記プリンタ印刷処理は、次のように変更される。図１５は、その場合のプリンタ印刷処理を表すフローチャートである。なお、この処理では、前述のＳ２０１〜Ｓ２０６の処理をＳ２７１〜Ｓ２７４のように変更した点を除いて、他は図１３の処理と同様に構成されているので、変更点のみを説明する。
【００６６】
すなわち、この処理では、先ず、Ｓ２７１にて、Ｓ２０１と同様にパソコン８００から送信されたデータが受信される。但し、この場合、受信されたデータは印刷データ，タグ書き込みデータのように分別されていない。そこで、続くＳ２７２では、受信されたデータから用紙３に印刷すべきデータが抽出され、続くＳ２７３にて、そのデータがラスタライズされることによって印刷データが作成されて印刷バッファへ書き込まれる。なお、このラスタライズに当っては、必要に応じてアプリケーションが起動される。
【００６７】
続くＳ２７４では、上記受信されたデータからタグ３Ａに書き込むべきデータがタグ書き込みデータとして抽出され、タグ書き込みバッファへ書き込まれた後、処理は前述のＳ２０７へ移行する。すると、上記抽出・作成された印刷データ及びタグ書き込みデータに基づき、前述のように、用紙３への印刷（Ｓ２０７）、及び、タグ３Ａへの書き込み（Ｓ２０９）がなされる。なお、図１５において、図示はしていないが、印刷データ，タグ書き込みデータがない場合には、各々の抽出作成の処理がスキップされることはもちろんである。本例では、パソコン８００の負担を軽減して、パソコン８００における他の処理に影響が及ぶのを抑制することができる。
【００６８】
更に、画像形成手段としては、本実施の形態のように電子写真方式で画像を形成するものに限らず、インクを吐出して画像を形成するものなど、種々の形態のものを採用することができ、非接触型タグとしては、赤外線を利用してデータの送受信を行うタグも採用することができる。また、プリンタ１が適宜の大きさの操作パネル２２０を備えている場合は、上記実施の形態でパソコン８００が実行した処理を全て制御部２００で実行してもよい。この場合、プリンタ１単体で本発明の文書作成システムを構成することができる。
【００６９】
また、画像形成装置としては、次のようなラベルプリンタも採用することができる。図１６は、その一例としてのラベルプリンタ１００の構成を概略的に表す説明図である。図１６に示すように、ラベルプリンタ１００は、その内部にカートリッジ１００Ａを備えている。このカートリッジ１００Ａは、筐体１００Ｂと、この筐体１００Ｂ内に配置され帯状の基材テープ１０１が巻回された第１ロール１０２と、基材テープ１０１と略同じ幅である被記録媒体の一例としての透明なカバーフィルム１０３が巻回された第２ロール１０４と、インクリボン１０５（熱転写リボン、但しカバーフィルム１０３が感熱テープの場合は不要）を繰り出すリボン供給側ロール１１１と、印刷後のインクリボン１０５を巻取るリボン巻取りローラ１０６と、基材テープ１０１と上記カバーフィルム１０３とを押圧し接着させ印刷済タグラベル用テープとしつつ矢印Ｃで示す方向にテープ送りをする圧着ローラ１０７とを有する。
【００７０】
第１ロール１０２は、リール部材１０２ａの周りに、長手方向に複数の非接触型タグとしてのＲＦＩＤタグ（以下、単にタグという）Ｔｏが所定の等間隔で順次形成された上記基材テープ１０１を巻回している。基材テープ１０１はこの例では４層構造となっており（図１６中部分拡大図参照）、内側に巻かれる側（拡大図中右側）よりその反対側（拡大図中左側）へ向かって、適宜の粘着材からなる粘着層１０１ａ、ＰＥＴ（ポリエチレンテレフタラート）等から成る色付きのベースフィルム１０１ｂ、適宜の粘着材からなる粘着層１０１ｃ、剥離紙１０１ｄの順序で積層され構成されている。そして、上記タグＴｏは、ベースフィルム１０１ｂの裏側（拡大図中左側）に一体的に設けられたアンテナ部１５２と、これに接続するように形成された回路部１５１とを備えている。
【００７１】
また、第２ロール１０４は、リール部材１０４ａの周りに上記カバーフィルム１０３を巻回している。第２ロール１０４より繰り出されるカバーフィルム１０３には、後述のようにリボン供給側ロール１１１から繰り出されるインクリボン１０５が、画像形成手段の一例としてのヘッド１１０に押圧されることで当該カバーフィルム１０３の裏面に当接させられるようになっている。
【００７２】
リボン巻取りローラ１０６及び圧着ローラ１０７は、それぞれカートリッジ１００Ａ外に設けた図示しないモータの駆動力がリボン巻取りローラ駆動軸１１３及び圧着ローラ駆動軸１１２に伝達されることによって回転駆動される。このため、第１ロール１０２より繰り出された基材テープ１０１、及び、第２ロール１０４より繰り出されたカバーフィルム１０３は、圧着ローラ１０７へと供給される。また、第２ロール１０４より繰り出されるカバーフィルム１０３の裏面（すなわち上記基材テープ１０１と接着される側）には、リボン供給側ロール１１１及びリボン巻取りローラ１０６で駆動されるインクリボン１０５がヘッド１１０に押圧されて当接させられる。
【００７３】
そして、カートリッジ１００Ａがラベルプリンタ１００に装着された状態では、カバーフィルム１０３及びインクリボン１０５がヘッド１１０とプラテンローラ１０８との間に狭持されると共に、基材テープ１０１及びカバーフィルム１０３が圧着ローラ１０７とサブローラ１０９との間に狭持される。そして、前述のモータによってリボン巻取りローラ１０６及び圧着ローラ１０７が矢印Ｂ及び矢印Ｄで示す方向に回転され、更に、圧着ローラ駆動軸１１２の駆動に伴い、図示しないギヤ機構を介して圧着ローラ１０７，サブローラ１０９，プラテンローラ１０８が回転すると、第１ロール１０２から基材テープ１０１が繰り出され、ヘッド１１０によってカバーフィルム１０３の裏面に熱転写方式により印刷がなされる。
【００７４】
そして、上記基材テープ１０１と上記印刷が終了したカバーフィルム１０３とが圧着ローラ１０７及びサブローラ１０９により接着されて一体化され、印刷済タグラベル用テープとして形成され、カートリッジ１００Ａ外へと搬出される。なお、カバーフィルム１０３への印刷が終了したインクリボン１０５は、リボン巻取りローラ駆動軸１１３の駆動によりリボン巻取りローラ１０６に巻取られる。
【００７５】
また、第１ロール１０２の繰り出し近傍にはガイドローラ１２０が設けられており、その近傍にデータ記録手段の一例としてのタグライタ１４０が設けられている。なお、図１６では、タグライタ１４０の通信可能領域をＸで示した。このように、通信可能領域Ｘは第１ロール１０２に巻回された基材テープ１０１にも及ぶので、タグライタ１４０は、データの書き込み後、そのタグＴｏが通信可能領域Ｘ外に搬出されてから、他のタグＴｏにも書き込まれたデータを消去する処理を行っている。更に、圧着ローラ１０７及びサブローラ１０９によりカートリッジ１００Ａの外に搬出された印刷済タグラベル用テープは、カッター１４１によって切断される。
【００７６】
このように構成されたラベルプリンタ１００に送信するデータを作成する場合は、例えば図１７（Ａ）に例示するように、ディスプレイ８２０に表示されたテープ状の枠の中に文字入力が可能となり、前述のように各入力モードが使用可能となる。例えば、図１７の例では、図１７（Ｂ）に例示するように範囲が指定され（Ｓ５１）、その範囲にタグ書き込み及び印刷別データモードが設定されると（Ｓ５２）、図１７（Ｃ）に例示するように、印刷用文書とタグ書き込み用文書とがブリンキングにより交互に表示される（Ｓ５４）。また、この場合も、ラベルプリンタ１００が適宜のキーボードや表示部を備えている場合は、前述の全ての処理をラベルプリンタ１００の制御部が実行してもよい。
【００７７】
更に、上記のようにデータが書き込まれたタグ３Ａ，Ｔｏの利用形態としては、日付けをタグ３Ａ，Ｔｏに書き込んで日付による検索を可能にするとか、文書番号や作成者をタグ３Ａ，Ｔｏに書き込むとか、種々の利用形態が考えられる。これらは、元の文章（印刷用文書）の任意の箇所を範囲指定してタグに書き込むことにより可能となり、後日の検索作業を容易にすることができる。
【００７８】
なお、上記実施の形態では、図１４に示すタグデータ読み出し処理において、マルチパーパストレイ１４にセットされた用紙３を搬送しながら用紙３に添付されているタグ３Ａからデータを読み出し、また、図１８に示すタグデータ読み出し処理においては、マルチパーパストレイ１４に用紙３をセット（載置）した状態のままで、用紙３に添付されているタグ３Ａからタグリーダ１６にてデータを読み出すようにしているが、これら以外の方法でタグのデータを読み出す（読み取る）ようにしてもよい。
【００７９】
例えば、プリンタ１の本体ケース２の上面等にタグリーダを内蔵して、用紙３に設けられたタグ３Ａをタグリーダにかざすことで、タグ３Ａからデータを読み取る（読み出す）ようにしてもよい。複数の用紙３から連続してタグ３Ａのデータを読み取る場合には、用紙３を一枚ずつタグリーダにかざして読み取るようにしてもよいし、いわゆる衝突防止（アンチコリジョン）機能を用いて複数の用紙３を束ねた状態でも各タグ３Ａからデータを順次読み出すこともできる。
【００８０】
更に、プリンタ機能に加えて、例えば、スキャナ（原稿読み取り）機能や、コピー機能、ファックス機能等を備えた複合機の場合には、スキャナ機能に付属する原稿自動搬送機構（いわゆるＡＤＦ機構）により、タグ３Ａが添付された用紙３を搬送しながら、搬送経路に沿って配置されているタグリーダにより、タグ３Ａに記録されているデータを読み出すようにしてもよい。
【図面の簡単な説明】
【００８１】
【図１】本発明が適用された文書作成システムの構成を表すブロック図である。
【図２】その文書作成システムを構成するプリンタの内部構成を表す概略断面図である。
【図３】非接触型タグを備えた用紙の構成を例示する説明図である。
【図４】上記文書作成システムを構成するパソコンで実行される印刷制御処理を表すフローチャートである。
【図５】その印刷制御処理における文書入力編集の処理を表すフローチャートである。
【図６】その文書入力編集の処理における入力例を表す説明図である。
【図７】その文書入力編集の処理における他の入力例を表す説明図である。
【図８】上記印刷制御処理におけるタグ・印刷修飾処理を表すフローチャートである。
【図９】そのタグ・印刷修飾処理における入力例を表す説明図である。
【図１０】上記印刷制御処理における修飾処理を表すフローチャートである。
【図１１】その修飾処理における入力例を表す説明図である。
【図１２】上記印刷制御処理における印刷の処理を表すフローチャートである。
【図１３】上記プリンタで実行されるプリンタ印刷処理を表すフローチャートである。
【図１４】上記プリンタで実行されるタグデータ読み出し処理を表すフローチャートである。
【図１５】上記プリンタ印刷処理の変形例を表すフローチャートである。
【図１６】本発明が適用可能なラベルプリンタの構成を概略的に表す説明図である。
【図１７】そのラベルプリンタを使用した場合の入力例を表す説明図である。
【図１８】上記タグデータ読み出し処理の変形例を表すフローチャートである。
【符号の説明】
【００８２】
１…プリンタ      ３…用紙      ３Ａ，Ｔｏ…タグ      ９…レジストローラ
１２…給紙ローラ      １５ａ…マルチパーパス側給紙ローラ      １６…タグリーダ
１７…スキャナユニット      １８…プロセスユニット      １９…定着装置
３５…排紙ローラ        ３８，１０４…タグライタ        １００…ラベルプリンタ
１０１…基材テープ        １０３…カバーフィルム        １０５…インクリボン
１０８…プラテンローラ          １１０…ヘッド          ２００…制御部
８００…パソコン    ８１０…パソコン本体    ８１３Ａ…タグ書き込みデータエリア
８１３Ｂ…印刷データエリア      ８２０…ディスプレイ      ８３０…キーボード
８４０…マウス      ８１１…ＣＰＵ      ８１３…ＲＡＭ      ８１４…ＨＤＤ
【図１】
2008090340.tif 000003
【図２】
2008090340.tif 000004
【図３】
2008090340.tif 000005
【図４】
2008090340.tif 000006
【図５】
2008090340.tif 000007
【図６】
2008090340.tif 000008
【図７】
2008090340.tif 000009
【図８】
2008090340.tif 000010
【図９】
2008090340.tif 000011
【図１０】
2008090340.tif 000012
【図１１】
2008090340.tif 000013
【図１２】
2008090340.tif 000014
【図１３】
2008090340.tif 000015
【図１４】
2008090340.tif 000016
【図１５】
2008090340.tif 000017
【図１６】
2008090340.tif 000018
【図１７】
2008090340.tif 000019
【図１８】
2008090340.tif 000020